(57)【要約】【課題】  選別搬送コンベアから夾雑物を落下させても、夾雑物が選別搬送コンベアの駆動機構に噛み込むことのない根菜類収穫機を提供する。【解決手段】  機体の左右一側に作物を圃場から引き抜いて後上方に搬送する引抜搬送装置２４を設け、引抜搬送装置２４から作物を引き継いで左右一側から左右他側に搬送する選別搬送装置８７を設けた根菜類収穫機において、選別搬送装置８７を駆動する駆動回転体１３４を設け、駆動回転体１３４の直下に上下間隔Ｌ２を空けて従動回転体１３６を設け、従動回転体１３６から駆動回転体１３４に亘って伝動無端体１３７を直線状に配置する構成、或いは駆動回転体１３４よりも左右一側寄りに従動回転体１３６を設け、従動回転体１３６から駆動回転体１３４に亘って伝動無端体１３７を左右他側ほど上方に向かう上方傾斜姿勢で配置して構成する。【選択図】  図３
2012244976.tif 000002
【特許請求の範囲】
【請求項１】
機体の左右一側に作物を圃場から引き抜いて後上方に搬送する引抜搬送装置（２４）を設け、該引抜搬送装置（２４）から作物を引き継いで左右一側から左右他側に搬送する選別搬送装置（８７）を設けた根菜類収穫機において、
該選別搬送装置（８７）を駆動する駆動回転体（１３４）を設け、該駆動回転体（１３４）の下方に上下間隔（Ｌ２）を空けて従動回転体（１３６）を設け、該駆動回転体（１３４）と従動回転体（１３６）に伝動無端体（１３７）を巻回して構成したことを特徴とする根菜類収穫機。
【請求項２】
前記反転回転体（１３６）を駆動回転体（１３４）の直下に配置し、該従動回転体（１３６）から駆動回転体（１３４）に亘って伝動無端体（１３７）を直線状に配置したことを特徴とする請求項１記載の根菜類収穫機。
【請求項３】
前記従動回転体（１３６）を駆動回転体（１３４）よりも左右一側寄りに配置し、該従動回転体（１３６）から駆動回転体（１３４）に亘って伝動無端体（１３７）を左右他側ほど上方に向かう上方傾斜姿勢で配置したことを特徴とする請求項１記載の根菜類収穫機。
【請求項４】
前記伝動無端体（１３７）に作物を搬送する複数の作物搬送体（１３９）を左右間隔（Ｌ１）を空けて配置し、該作物搬送体（１３９）同士の左右間隔（Ｌ１）を、前記駆動回転体（１３４）と従動回転体（１３６）の上下間隔（Ｌ２）よりも狭く構成したことを特徴とする請求項１から３のいずれか１項に記載の根菜類収穫機。
【請求項５】
前記駆動回転体（１３４）の中心部に駆動回転軸（１２７ａ）を装着し、該駆動回転軸（１２７ａ）から駆動回転体（１３４）の外周縁部までの間隔距離（Ｌ３）を前記作物搬送体（１３９）同士の左右間隔（Ｌ１）よりも長く構成したことを特徴とする請求項１から４のいずれか１項に記載の根菜類収穫機。
【請求項６】
前記駆動回転体（１３４）と反転回転体（１３６）の上下間隔（Ｌ２）に、該従動回転体（１３６）及び伝動無端体（１３７）に搬送される夾雑物を除去する除去部材（１４５）を設けたことを特徴とする請求項１から５のいずれか１項に記載の根菜類収穫機。
【発明の詳細な説明】
【技術分野】
【０００１】
本発明は、作物を圃場から引き抜き収穫する根菜類収穫機に関するものである。
【背景技術】
【０００２】
従来の根菜類収穫機には、収穫した作物の選別作業を行う選別搬送コンベアに、泥土や石等の夾雑物を下方に落下させる空間部を形成し、搬送中に夾雑物を取り除く技術が存在する。（特許文献１）
【先行技術文献】
【特許文献】
【０００３】
【特許文献１】特開２０１１−  ３０４７０号公報
【発明の概要】
【発明が解決しようとする課題】
【０００４】
しかしながら、特許文献１に記載された根菜類収穫機では、空間部から選別搬送コンベア内に入り込んだ夾雑物が下方に落下せず、この夾雑物が駆動スプロケットまで移動して噛み込まれ、選別搬送コンベアを停止させてしまい、作業が中断されて作業能率が低下する問題がある。
【０００５】
また、夾雑物が駆動スプロケットまで移動することを阻止する部材を設けていないため、夾雑物が何度も駆動スプロケットに噛み込まれる問題がある。
本発明は、この問題を解消しようとするものである。
【課題を解決するための手段】
【０００６】
請求項１記載の発明は、機体の左右一側に作物を圃場から引き抜いて後上方に搬送する引抜搬送装置（２４）を設け、該引抜搬送装置（２４）から作物を引き継いで左右一側から左右他側に搬送する選別搬送装置（８７）を設けた根菜類収穫機において、該選別搬送装置（８７）を駆動する駆動回転体（１３４）を設け、該駆動回転体（１３４）の下方に上下間隔（Ｌ２）を空けて従動回転体（１３６）を設け、該駆動回転体（１３４）と従動回転体（１３６）に伝動無端体（１３７）を巻回して構成したことを特徴とする根菜類収穫機とした。
【０００７】
請求項２記載の発明は、前記反転回転体（１３６）を駆動回転体（１３４）の直下に配置し、該従動回転体（１３６）から駆動回転体（１３４）に亘って伝動無端体（１３７）を直線状に配置したことを特徴とする請求項１記載の根菜類収穫機とした。
【０００８】
請求項３記載の発明は、前記従動回転体（１３６）を駆動回転体（１３４）よりも左右一側寄りに配置し、該従動回転体（１３６）から駆動回転体（１３４）に亘って伝動無端体（１３７）を左右他側ほど上方に向かう上方傾斜姿勢で配置したことを特徴とする請求項１記載の根菜類収穫機とした。
【０００９】
請求項４記載の発明は、前記伝動無端体（１３７）に作物を搬送する複数の作物搬送体（１３９）を左右間隔（Ｌ１）を空けて配置し、該作物搬送体（１３９）同士の左右間隔（Ｌ１）を、前記駆動回転体（１３４）と従動回転体（１３６）の上下間隔（Ｌ２）よりも狭く構成したことを特徴とする請求項１から３のいずれか１項に記載の根菜類収穫機とした。
【００１０】
請求項５記載の発明は、前記駆動回転体（１３４）の中心部に駆動回転軸（１２７ａ）を装着し、該駆動回転軸（１２７ａ）から駆動回転体（１３４）の外周縁部までの間隔距離（Ｌ３）を前記作物搬送体（１３９）同士の左右間隔（Ｌ１）よりも長く構成したことを特徴とする請求項１から４のいずれか１項に記載の根菜類収穫機とした。
【００１１】
請求項６記載の発明は、前記駆動回転体（１３４）と反転回転体（１３６）の上下間隔（Ｌ２）に、該従動回転体（１３６）及び伝動無端体（１３７）に搬送される夾雑物を除去する除去部材（１４５）を設けたことを特徴とする請求項１から５のいずれか１項に記載の根菜類収穫機とした。
【発明の効果】
【００１２】
請求項１記載の発明によれば、選別搬送装置（８７）の駆動回転体（１３４）よりも下方に上下間隔（Ｌ２）を空けて反転回転体（１３６）を設けたことにより、伝動無端体（１３７）の巻回域内に入り込んだ夾雑物を上下間隔（Ｌ２）の下側に留めることができるので、駆動回転体（１３４）が夾雑物を噛み込んで止まり、選別搬送装置（８７）を停止させることが防止されるため、作業能率が向上すると共に、選別搬送装置（８７）の破損が防止される。
【００１３】
請求項２記載の発明によれば、請求項１記載の発明の効果に加えて、反転回転体（１３６）から駆動回転体（１３４）に亘って伝動無端体（１３７）を直線状に配置したことにより、伝動無端体（１３７）の上下方向の直線部が夾雑物の駆動回転体（１３４）への移動を確実に防止することができるので、駆動回転体（１３４）が夾雑物を噛み込んで止まり、選別搬送装置（８７）を停止させることが防止されるため、作業能率が向上すると共に、選別搬送装置（８７）の破損が防止される。
【００１４】
請求項３記載の発明によれば、請求項１記載の発明の効果に加えて、反転回転体（１３６）から駆動回転体（１３４）に亘って伝動無端体（１３７）を左右他側ほど上方に向かう上方傾斜姿勢で配置したことにより、伝動無端体（１３７）の上方傾斜部が夾雑物の駆動回転体（１３４）への移動を確実に防止することができるので、駆動回転体（１３４）が夾雑物を噛み込んで止まり、選別搬送装置（８７）を停止させることが防止されるため、作業能率が向上すると共に、選別搬送装置（８７）の破損が防止される。
【００１５】
請求項４記載の発明によれば、請求項１から３のいずれか１項に記載の発明の効果に加えて、複数の作物搬送体（１３９）同士を左右間隔（Ｌ１）を空けて配置したことにより、作物と共に搬送されてきた石や泥土などの夾雑物を左右間隔（Ｌ１）から下方に落下させることができるので、夾雑物が作物の選別作業を妨げにくくなり、選別精度が向上する。
【００１６】
また、作物搬送体（１３９）同士の左右間隔（Ｌ１）を、駆動回転体（１３４）と反転回転体（１３６）の上下間隔（Ｌ２）よりも狭くしたことにより、伝動無端体（１３７）の巻回域内に入り込む夾雑物の大きさは左右間隔（Ｌ１）よりも小さいものだけになるので、夾雑物が駆動回転体（１３４）に接触して噛み込まれて選別搬送装置（８７）が停止することが防止されるため、作業能率が向上すると共に、選別搬送装置（８７）の破損が防止される。
【００１７】
請求項５記載の発明によれば、請求項１から４のいずれか１項に記載の発明の効果に加えて、作物搬送体（１３９）同士の左右間隔（Ｌ１）を、駆動回転体（１３４）の外周縁部から駆動回転軸（１２７ａ）までの間隔距離（Ｌ３）よりも狭くしたことにより、夾雑物が駆動回転体（１３４）まで移動してきても間隔距離（Ｌ３）から下方に落下させることができるので、夾雑物が駆動回転体（１３４）に接触して噛み込まれて選別搬送装置（８７）が停止することが防止されるため、作業能率が向上すると共に、選別搬送装置（８７）の破損が防止される。
【００１８】
請求項６記載の発明によれば、請求項１から５のいずれかに記載の発明の効果に加えて、駆動回転体（１３４）と反転回転体（１３６）の上下間隔（Ｌ２）に除去部材（１４５）を設けたことにより、夾雑物の駆動回転体（１３４）への移動を確実に防止することができるので、駆動回転体（１３４）に夾雑物が噛み込まれて選別搬送装置（８７）が停止することが防止されるため、作業能率が向上すると共に、選別搬送装置（８７）の破損が防止される。
【図面の簡単な説明】
【００１９】
【図１】根菜類収穫機の側面図
【図２】根菜類収穫機の平面図
【図３】選別搬送部の要部背面図
【図４】選別搬送部の要部背面図
【図５】残葉処理部及び選別搬送部の伝動機構図
【図６】選別搬送部と載置排出部の背面図
【図７】選別搬送部の平面図
【図８】選別搬送コンベアの要部背面図
【図９】茎葉切断部の肩揃え装置の要部平面図
【図１０】選別搬送部と載置排出部の背面図
【図１１】茎葉切断部の側面図
【図１２】茎葉切断部の平面図
【図１３】茎葉切断部の肩揃え装置の要部平面図
【図１４】（ａ）肩揃え装置の搬送体の平面図、（ｂ）肩揃え装置の搬送体の側面図、（ｃ）肩揃え装置の搬送体の正面図
【図１５】肩揃え装置の側面断面図
【図１６】選別搬送コンベアの搬送方向における正面図
【図１７】選別搬送コンベアの搬送方向における要部側面図
【図１８】載置排出部の平面図
【図１９】載置排出部の側面図
【図２０】石分けプレートを示す選別搬送コンベアの要部拡大図
【図２１】石分けプレートを示す選別搬送コンベアの要部側面図
【図２２】別実施例の保持搬送装置を設けた根菜類収穫機の側面図
【図２３】別実施例の保持搬送装置を設けた根菜類収穫機の要部背面図
【図２４】別実施例のクラッチ機構を示す要部拡大図
【発明を実施するための最良の形態】
【００２０】
本発明の実施の形態について説明する。
図１〜図２１に示すように、実施例の一つとして示す根菜類収穫機の一種である人参収穫機は、機体を走行させる走行部Ａと、操縦者が搭乗する操縦部Ｂと、機体左右一側で圃場から人参を引き抜いて機体後上側に搬送する収穫部Ｃと、該収穫部Ｃから人参を引き継いで機体後方に搬送しながら茎葉部を切断する茎葉切断部Ｄと、茎葉切断部Ｄから落下する人参を受けて人参に残った茎葉部を処理する残葉処理部Ｅと、残葉処理部Ｅから人参を引き継いで人参を機体左右一側から左右他側へと搬送し、搬送中の人参を補助作業者が選別する選別搬送部Ｆと、該選別搬送部Ｆから排出される人参の収容部材を配置する収容部Ｇと、収容部材の底部を載置すると共に圃場に排出する載置排出部Ｈから構成される。
【００２１】
なお、本件においては、平面図において、機体の進行方向に対して左側を機体左右一側、機体の進行方向に対して右側を機体左右他側と称する。以下、各部の詳細を具体的に記載する。
【００２２】
まず、走行部Ａの構成について説明する。
図１、図２で示すように、機体フレーム１の下方に機体前部側の左右駆動スプロケット２，２と機体後部側の左右従動輪３，３と、該左右駆動スプロケット２，２と左右従動輪３，３との間に取り付けた複数の転輪４，４・・・の周りに左右ベルト５，５を巻き掛けて左右のクローラ６Ｌ，６Ｒを構成する。そして、該左右クローラ６Ｌ，６Ｒの左右駆動スプロケット２，２を、エンジン７の動力が伝動されるミッションケース８から左右両側に延出させた左右ドライブシャフト９，９に取り付け、一定の左右間隔を設けて左右クローラ６Ｌ，６Ｒを該機体フレーム１に取り付ける。
【００２３】
次に、操縦部Ｂの構成について説明する。
図１、図２で示すように、前記機体フレーム１の右側上部に操縦部フレーム１０を取り付け、該操縦部フレーム１０には操縦座席１１を取り付けると共に、機体前側に操縦パネル１２を取り付ける。そして、該操縦パネル１２に機体の前後進及び走行速度を切り換える変速操作レバー１３を取り付けると共に、機体の左右旋回操作及び収穫部Ｃの作業高さを操作する昇降操作レバー１４を取り付ける。
【００２４】
また、前記操縦部フレーム１０の機体左右他側（機体右側）にエンジン７を冷却するラジエータ（図示省略）を保護すると共に冷却風を取り込むラジエータカバー１０ａを着脱自在に取り付けることにより。操縦部Ｂが構成される。
【００２５】
上記構成により、変速操作レバー１３や昇降操作レバー１４のような、１本で複数の操作を行える操縦部材を設けることによって、機体の操縦が容易になるため操縦者の作業を軽減することができる。
【００２６】
次に、収穫部Ｃの構成について説明する。
図１、図２で示すように、左右引抜フレーム１５，１５の機体前側に左右従動プーリ１６，１６を回転自在に装着し、機体後側に左右駆動プーリ１７，１７を装着し、該左右従動プーリ１６，１６と左右駆動プーリ１７，１７との間に人参を引き抜き機体後部へと搬送する左右挟持搬送ベルト１８，１８を巻き掛けると共に、複数のテンションローラ１９…によって該左右挟持搬送ベルト１８，１８を付勢し、左右挟持搬送ベルト１８，１８の機体内側面を互いに圧接させて人参の引抜搬送経路Ｒを構成する。そして、前記機体フレーム１の上方に左右横軸２１を回動支点として上下方向に回動自在な回動フレーム２０を取り付け、該回動フレーム２０の後端部に前記左右駆動プーリ１７，１７に駆動力を伝動する伝動ケース２２を、回動支点Ｘを中心として上下回動自在に取り付ける。また、前記機体フレーム１と回動フレーム２０とを昇降シリンダ２３で連結し、該昇降シリンダ２３を操縦部Ｂで操作可能に取り付けて引抜搬送装置２４を構成する。
【００２７】
なお、前記伝動ケース２２は、引抜搬送装置２４だけでなく、後述する位置揃え装置５４Ｌ，５４Ｒ、排葉搬送装置６５及び残葉搬送装置７０にも駆動力を供給するものである。
【００２８】
また、該引抜搬送装置２４の前方に人参の茎葉部を引き起こす縦引起し装置２５と、該縦引起し装置２５が引起した茎葉部を掬い上げる横引起し装置２６と、該横引起し装置２６の前部に設ける分草杆２７と、ハンドル２９を回すと上下伸縮する伸縮ロッド３０の下端部に引抜搬送装置２４の下り過ぎを防止する回転自在なゲージ輪３１と、前記エンジン７の駆動力で回転するシャフト３２の回転によって振動する振動フレーム３３に取り付けた人参の左右の土を振動によって解す左右振動ソイラ３４，３４とを設ける。
【００２９】
そして、前記引抜搬送装置２４で搬送中の人参に接触して付着した泥土を除去する左右の泥落し体３４ａ，３４ａを振動ソイラ３４，３４の土中に進入しない部分に設けると共に、前記引抜搬送通路Ｒの下方に引抜搬送装置２４で搬送中の人参のひげ根を切断する尻尾切装置３５を設けて、収穫部Ｃを構成する。
【００３０】
上記構成により、機体前側に分草杆２７を備える横引起し装置２６と、縦引起し装置２５を設けることによって、圃場に倒伏した人参の茎葉を掻き上げながら収穫作業ができ、収穫する人参の視認性が向上するので引き抜き位置が合わせやすく、作物の抜き残しが減少するため作業能率が向上する。
【００３１】
また、人参に左右振動ソイラ３４，３４等が接触して傷つくことを防止できるので、人参の商品価値が向上する。
そして、振動ソイラ３４，３４の土中に進入しない部分に左右の泥落し体３４ａ，３４ａを設けたことにより、搬送中の人参に付着した泥土を除去することができるので、機体の掃除にかかる時間が短縮されてメンテナンス性が向上すると共に、作業者や選別作業者が人参の形状や傷等の異常の有無を目視することができるので、人参の選別精度が向上する。
【００３２】
さらに、ハンドル２９を回すと上下伸縮する伸縮ロッド３０の下端部にゲージ輪３１を設けたことによって、ゲージ輪３１を圃場面に接地させるとそれ以上引抜搬送装置２４が下降しなくなるので、操縦者の操縦ミスや予期せぬ地面の凹凸によって引抜搬送装置２４の下端部が圃場面に接触して破損することが防止される。
【００３３】
そして、機体フレーム９と左右横軸２１を回動支点として上下方向に回動自在な回動フレーム２０とを昇降シリンダ２３で連結し、昇降シリンダ２３を操縦部Ｂの昇降操作レバー１４を操作することによって伸縮させる構成としたことによって、昇降操作レバー１４の操作により収穫部Ｃ全体の上下高さを調節することができるので、収穫部Ｃの引抜搬送始端部の位置を上下方向に調節しするとともに圃場に植生する人参の適切な引き抜き高さに合わせて引抜搬送始端部の位置調節を行え、人参の抜き残しが防止されるので作業能率が向上する。
【００３４】
また、旋回時に収穫部Ｃを上昇させておくと、収穫部Ｃの下端部が圃場に接触しにくくなるため、旋回動作がスムーズに行われて作業能率が向上する。
次に、茎葉切断部Ｄについて説明する。
【００３５】
図１及び図１１〜図１５で示すように、前記伝動ケース２２に駆動力を伝道する左右の伝動軸３６，３６を取り付け、該左右の伝動軸３６，３６の上部に左右伝動ケース３７，３７を取り付けると共に、該左右の伝動ケース３７，３７内に複数のギアを噛み合わせて構成する左右の第１ギアユニット３８，３８を機体前側に向かって取り付ける。また、前記伝動ケース２２内部の左右の伝動軸３６，３６に左右の第２ギアユニット３９，３９を機体後側に向かって取り付け、該左右の第２ギアユニット３９，３９の後端部に左右の第１出力軸４０，４０を機体上方に向けて軸着する。
【００３６】
そして、前記の左右第１ギアユニット３８，３８の前端部に左右の第２出力軸４１，４１を機体下方に向けて軸着し、該左右の第２出力軸４１，４１に左右の位置揃え駆動スプロケット４２，４２を軸着する。さらに、前記左右伝動ケース３７，３７の前下部に側面視Ｌ字型の左右の位置揃えフレーム４３，４３を取り付け、該位置揃えフレーム４３，４３に機体左右方向の孔部４４，４４を形成し、該孔部４４，４４に左右の位置揃え従動スプロケット４５，４５を軸着した左右回転軸４６，４６を取り付ける。また、該位置揃え従動スプロケット４５，４５と位置揃え駆動スプロケット４２，４２との前後間で且つ位置揃え駆動スプロケット４２，４２よりも機体内側位置に左右の位置揃えテンションスプロケット４７，４７を回転自在に取り付ける。さらに、該位置揃えテンションスプロケット４７，４７と位置揃え駆動スプロケット４２，４２と位置揃え従動スプロケット４５，４５とに左右の位置揃えチェーン４８，４８を無端状に巻回する。
【００３７】
なお、前記位置揃え駆動スプロケット４２，４２は、位置揃え従動スプロケット４５，４５及び位置揃えテンションスプロケット４７，４７よりも小径のものを用いてもよい。
そして、前記伝動ケース３７，３７に左右の受け板４９，４９を前後方向に位置調節可能に取り付け、該受け板４９，４９と位置揃えフレーム４３，４３との間に、前記位置揃え従動スプロケット４５，４５を付勢して位置揃えチェーン４８，４８に生じる弛みを吸収させる左右の付勢バネ５０，５０を取り付ける。該付勢バネ５０，５０は、受け板４９，４９を前後に移動させることにより、位置揃え従動スプロケット４７，４７にかかる付勢力を変更することができ、人参の種類や生育状態、茎葉部の平均的な太さに応じて変更することで、様々な作業条件に対応することができる。
【００３８】
また、前記左右の位置揃えフレーム４３，４３に機体左右方向の孔部４４，４４を形成、該孔部４４，４４に位置揃え従動スプロケット４５，４５の回転軸４６，４６を貫通させて設けたことにより、位置揃え従動スプロケット４５，４５を左右方向に移動させて位置調節することができるので、非作業時及び茎葉部が通過中でない、あるいは径の小さい茎葉部が通過する際は、位置揃え従動スプロケット４７，４７は付勢バネ５０，５０に押圧されて前側で且つ機体内側方向に向かって押圧され、大径の茎葉部が通過する際には位置揃え従動スプロケット４７，４７は機体外側方向に向かって押圧される構成となり、大径の茎葉部が噛み込まれることを防止でき、噛み込まれた茎葉部を取り除く必要が無く作業能率が向上する。
【００３９】
加えて、位置揃え装置５４Ｌ，５４Ｒの搬送始端側から搬送終端側までの左右間隔が、大径の茎葉部が通過して負荷がかかったときのみ略直線状となるので、それ以外の場合には位置揃え装置の左右間隔を搬送始端側から搬送終端側に向かって広がる構成となり、位置揃え装置５４Ｌ，５４Ｒの左右間隔を通過する人参が左右方向にふらつくことを防止でき、人参の茎葉部の切断位置揃えが適正に行なわれる。
【００４０】
さらに、大径の茎葉部が位置揃え装置５４Ｌ，５４Ｒの左右間を通過できず、人参の茎葉部の切断位置が上がり過ぎ、根部に茎葉部が残ることを防止でき、後処理でこの茎葉部を取り除く作業が不要となり、作業能率が向上すると共に、人参が持ち上げられ過ぎ、根部を後述する茎葉切断装置６１に切断されてしまうことを防止できるので、人参が傷付くことが無く、商品価値が向上する。
【００４１】
そして、前記位置揃えチェーン４８，４８を構成する複数のリンク４８ａ…に、位置揃えチェーン４８，４８の上部と下部と茎葉部の接触面を覆う正面視コの字型のガイドカバー５１…を取り付け、位置揃えガイド体５２を構成する。
【００４２】
なお、図１４（ａ）〜（ｃ）で示すように、該ガイドカバー５１…は、平面視において前後一側方を凸状のＲ部５１ａ、前後他側方を凹状のＲ部５１ｂを形成し、茎葉部との接触面に前後他側方に、後続のガイドカバー５１の前後一側方の凸状のＲ部５１ａ上に向かって突出する突出部５１ｃを形成する。直線部では前方のガイドカバー５１の凹状のＲ部５１ｂに後続のガイドカバー５１の凸状のＲ部５１ａが入り込み、この後続の凸状のＲ部を前方の突出部５１ｃが覆うことによって、ガイドカバー５１同士の間隔部を覆うことができるので、ガイドカバー５１同士の間隔部に人参の茎葉部が噛み込まれることが防止され、機体を停止させて噛み込まれた茎葉部を取り除く必要が無く、作業能率が向上する。
【００４３】
また、ガイドカバー５１は凸状のＲ部５１ａと凹状のＲ部５１ｂを有し、リンク４８ａに１つずつ取り付けられていることにより、ガイドカバー５１同士は干渉し合うことが無く位置揃えチェーン４８，４８の移動に追従することができるので、位置揃え装置５４Ｌ，５４Ｒの移動がスムーズになり、作業能率が向上する。
【００４４】
加えて、位置揃えチェーン４８，４８が円弧軌跡で移動する際、突出部５１ｃを有することにより、ガイドカバー５１同士の間に大きな間隔部が生じないため、この間隔部に人参の茎葉部が噛み込まれることを防止でき、機体を停止させて噛み込まれた茎葉部を取り除く必要が無く、作業能率が向上する。
【００４５】
なお、位置揃えガイド体５２は、複数のガイドカバー５１…ではなく、位置揃えチェーン４８の上面と下面と茎葉部との接触面を覆う、断面形状コの字型としてもよい。
そして、前記位置揃えチェーン４８，４８の巻回域内で且つ位置揃え従動スプロケット４５，４５と位置揃えテンションスプロケット４７，４７との間に、位置揃えチェーン４８，４８を巻回域内から茎葉部接触面に向かって押圧する左右のテンションプレート５３Ｌ，５３Ｒを機体左右方向に位置調節自在に取り付けることにより、左右の位置揃え装置５４Ｌ，５４Ｒが引抜搬送装置２４の搬送方向後側の下方位置に構成される。
【００４６】
該テンションプレート５３Ｌ，５３Ｒは、前記伝動ケース３７，３７に長穴を形成して取付軸５３ａ，５３ａをボルト等着脱可能な部材で位置調節に取り付け、該取付軸５３ａ，５３ａの端部に板体５３ｂ，５３ｂを溶着して構成する。
【００４７】
なお、テンションプレート５３Ｌ，５３Ｒは、左右の位置揃え装置５４Ｌ，５４Ｒに略平行位置に設けてもよいが、機体外側の位置揃え装置５３Ｒの前側にテンションプレート５２Ｒを設ける場合、機体内側の位置揃え装置５３Ｌのテンションプレート５２Ｌは位置揃え装置５３Ｒのテンションプレート５２Ｒよりも機体後側に設けると、大径の茎葉部が位置揃え装置５４Ｌ，５４Ｒの左右間を通過する際、テンションプレート５２Ｌまたはテンションプレート５２Ｒの無い側に位置揃えチェーン４８及び位置揃えガイド体５２が移動するので、人参の茎葉部の径が大きくても位置揃え装置５４Ｌ，５４Ｒに噛み込まれることを防止でき、機体を停止させて噛み込まれた茎葉部を取り除く必要がなく、作業能率が向上する。
【００４８】
加えて、テンションプレート５３Ｌ，５３Ｒの張力は、前記付勢バネ５０，５０の張力よりも弱く設定すると、大径の茎葉部が通過して負荷がかかると位置揃えチェーン４８，４８が適正な位置まで撓んで退避することができ、５４Ｌ，５４Ｒに噛み込まれることを防止でき、機体を停止させて噛み込まれた茎葉部を取り除く必要がなく、作業能率が向上する。
【００４９】
そして、前記位置揃え駆動スプロケット４２，４２の近傍で且つ位置揃えガイド体５２，５２の外側位置で伝動ケース３７，３７に長穴を形成し、この長穴に位置揃えガイド体５２，５２の表面に付着した茎葉部の切れ端や泥等を落とす左右のスクレーパ５５，５５を位置揃えガイド体５２，５２の軌跡に沿って位置調節時際に取り付ける。
【００５０】
なお、スクレーパ５５，５５は、後下り傾斜姿勢で配置することにより、茎葉部の切れ端や泥を下方に落下させやすくなる。
そして、前記左右第１ギアユニット３８，３８の位置揃え装置５４Ｌ，５４Ｒの後方位置に左右の切断刃回転軸５６，５６を軸着し、該切断刃回転軸５６，５６に左右のベアリング５７，５７を回転自在に取り付ける。そして、前記左右のベアリング５７，５７に左右の支持プレート５９，５９を取り付け、該支持プレート５９，５９に左右の茎葉切断刃６０，６０を取り付けて、茎葉切断装置６１が構成される。
【００５１】
また、前記左右第１出力軸４０，４０に左右茎葉搬送駆動プーリ６２，６２を軸着し、前記左右第１ギアユニット３８，３８よりも機体前側で且つ位置揃え装置５４Ｌ，５４Ｒの上方に左右茎葉搬送従動プーリ６３，６３を回転自在に取り付ける。そして、該左右茎葉搬送駆動プーリ６２，６２と左右茎葉搬送従動プーリ６３，６３とに左右排葉搬送ベルト６４，６４を無端状に巻回することによって、前記引抜搬送装置２４から人参の茎葉部を引き継いで機体後方に排出する排葉搬送装置６５が、前記左右の伝動ケース３７，３７の上部外周で且つ引抜搬送装置２４の搬送終端側の下方に構成される。
【００５２】
さらに、前記左右第１出力軸４０，４０の上端部に左右残葉搬送駆動プーリ６６，６６を軸着し、前記伝動ケース３７，３７の上方に左右残葉搬送従動プーリ６７，６７を回転自在に取り付けるとともに、該左右残葉搬送駆動プーリ６６，６６と左右残葉搬送従動プーリ６７，６７との前後間に複数の左右の残葉搬送テンションプーリ６８，６８…を取り付ける。そして、前記左右残葉搬送駆動プーリ６６，６６と左右残葉搬送従動プーリ６７，６７と左右残葉搬送テンションプーリ６８，６８…とに左右残葉搬送ベルト６９，６９を無端状に巻回することによって、茎葉の上部を挟持して機体後方に搬送する残葉搬送装置７０が、前記排葉搬送装置６５の上方に構成される。
【００５３】
上記排葉搬送装置６５と残葉搬送装置７０の終端部から茎葉切断装置６１によって切断された茎葉を圃場に排出する排葉シュータ７１を設けて、茎葉切断部Ｄを構成する。
上記構成により、左右の位置揃え駆動スプロケット４２，４２が、茎葉部が通過する位置揃え装置５４Ｌ，５４Ｒの左右間隔部から離間する位置に配置されることにより、位置揃え駆動スプロケット４２，４２や第２出力軸４１，４１に茎葉部が絡み付いて位置揃え装置５４Ｌ，５４Ｒを停止させてしまうことを防止できるので、収穫作業が中断されず、作業能率が向上する。
【００５４】
また、位置揃え駆動スプロケット４２，４２を位置揃え従動スプロケット４５，４５及び位置揃えテンションスプロケット４７，４７よりも小径としたことにより、位置揃え駆動スプロケット４２，４２がいっそう位置揃え装置５４Ｌ，５４Ｒの左右間隔部から離間するので、位置揃え駆動スプロケット４２，４２や第２出力軸４１，４１に茎葉部が絡み付くことをいっそう防止でき、作業能率がさらに向上する。
【００５５】
そして、位置揃え従動スプロケット４５，４５を付勢する左右の付勢バネ５０，５０を設けたことにより、位置揃え装置５４Ｌ，５４Ｒに茎葉部が接触する際に左右の位置揃えチェーン４８，４８に生じる弛みを吸収させることができ、位置揃えチェーン４８，４８がすぐに張り状態に戻るため、径の異なる茎葉部が連続して通過するときでも位置揃え装置５４Ｌ，５４Ｒが確実に人参の茎葉部を受けることができ、人参の茎葉部の切断位置が適正に揃えられて茎葉部が適正に切断され、後工程で茎葉部を除去する必要が無く、作業能率が向上する。
【００５６】
また、左右の受け板４９，４９を前後方向に移動させることで付勢バネ５０，５０の張力が調節されることにより、人参の生育状況や品種による茎葉部の径の差異、あるいは天候や土質等、作業場所の作業条件に合わせて張力を適正に変更できるので、人参の茎葉切断位置の位置揃えを適正に行い茎葉部を確実に切断することにより、後工程で人参に残る茎葉部を取り除く必要がなくなり、作業能率が向上する。
【００５７】
さらに、左右の位置揃えフレーム４３，４３に機体左右方向の孔部４４，４４を形成し、この孔部４４，４４に位置揃え従動スプロケット４５，４５を軸着した回転軸４６，４６を移動自在に設けたことにより、負荷がかからない状態では、付勢バネ５０，５０に付勢された位置揃え従動スプロケット４５，４５は茎葉部の搬送経路寄りに移動するので、小径の茎葉部が通過する際に位置揃え装置５４Ｌ，５４Ｒが茎葉部を受けて人参の茎葉部の切断位置を適正に揃えることができ、後工程で人参に残る茎葉部を取り除く必要がなくなり、作業能率が向上する。
【００５８】
また、大径の茎葉部が通過する際、左右の位置揃え装置５４Ｌ，５４Ｒに大きな負荷がかかると、位置揃え従動スプロケット４５，４５は孔部４４，４４に沿って茎葉部の移動経路から離間する方向に移動するので、位置揃え装置５４Ｌ，５４Ｒの前側の左右間隔が広くなり、茎葉部が位置揃え装置５４Ｌ，５４Ｒの間隔部に噛み込まれることを防止でき、機体を止めて噛み込まれた茎葉部を取り除く必要が無く、作業能率が向上する。
【００５９】
なお、人参の茎葉部が須らく大径であることが収穫作業前にわかっている場合には、位置揃え従動スプロケット４５，４５を左右の位置揃え装置５４Ｌ，５４Ｒの左右間から離間する方向に移動させ、位置揃え装置５４Ｌ，５４Ｒの搬送方向上手側の左右間隔を広くしておくと、位置揃え装置５４Ｌ，５４Ｒが茎葉部を噛み込むことを防止でき、噛み込んだ茎葉部を取り除く作業が必要なく、作業能率が向上する。
【００６０】
そして、位置揃えチェーン４８，４８を構成する複数のリンク４８ａ…毎にガイドカバー５１…を取り付けて位置揃えガイド体５２を構成したことにより、任意の箇所のガイドカバー５１を自在に着脱できるので、一部のガイドカバー５１が損傷しても、新しいガイドカバー５１に取り替えるだけで適正な位置揃え性能が維持され、茎葉部が適正に切断されるので、作業能率が向上する。
【００６１】
また、位置揃えガイド体５２全体を取り替える必要がないので、コストダウンを図ることができる。
さらに、ガイドカバー５１の着脱は、工具を必要とせず手作業で行なえるので、交換作業を容易に行なうことができる。
【００６２】
そして、ガイドカバー５１が位置揃えチェーン４８の上面と下面と茎葉部との接触面を覆う正面視コの字形状としたことにより、ガイドカバー５１と位置揃えチェーン４８との間に空間部が生じないので、ガイドカバー５１と位置揃えチェーン４８との間で茎葉部を挟み込んでしまい、人参が適正な切断位置に揃えられず茎葉部が切り残されることを防止でき、後工程で茎葉部を除去する作業が必要なく、作業能率が向上するとともに、人参の根部が切断されることを防止でき、人参の商品価値が向上する。
【００６３】
また、ガイドカバー５１に凸上のＲ部５１ａと凹状のＲ部５１ｂとを形成し、後続のガイドカバー５１の凸状のＲ部５１ａを前側のガイドカバー５１の凹状のＲ部５１ｂに近接させて位置揃えチェーン４８に取り付けることにより、位置揃えチェーン４８が位置揃え従動スプロケット４５などの周囲を円弧軌道で移動する際、ガイドカバー５１…は追従して移動できるので、位置揃え装置５４Ｌ，５４Ｒは一定の周速で動作するため、茎葉部を受けて人参の茎葉部の切断位置を適正に揃えることができ、後工程で人参に残る茎葉部を取り除く必要がなくなり、作業能率が向上する。
【００６４】
さらに、凸状のＲ部５１ａ上に向かって突出する突出部５１ｃを設けたことにより、位置揃えチェーン４８が位置揃え従動スプロケット４５などの周囲を円弧軌道で移動する際、ガイドカバー５１…同士の前後間に生じる空間部をこの突出部５１ｃが覆うため、ガイドカバー５１…同士の前後間の空間部で茎葉部を挟み込んでしまい、人参が適正な切断位置に揃えられず茎葉部が切り残されることを防止でき、後工程で茎葉部を除去する作業が必要なく、作業能率が向上するとともに、人参の根部が切断されることを防止でき、人参の商品価値が向上する。
【００６５】
そして、位置揃えチェーン４８，４８の巻回域内に左右のテンションプレート５３Ｌ，５３Ｒを設けたことにより、位置揃えチェーン４８，４８を巻回域内から押圧するため、大径の茎葉部が通過する際、テンションプレート５３Ｌまたはテンションプレート５３Ｒが押圧していない部分の位置揃えチェーン４８，４８は位置揃え駆動スプロケット４２，４２の方向へ退避できるので、茎葉部が位置揃え装置５４Ｌ，５４Ｒの左右間に噛み込まれることが無く、機体を止めて噛み込まれた茎葉部を取り除く必要が無く、作業能率が向上する。
【００６６】
また、位置揃え駆動スプロケット４２，４２の外周を移動する位置揃えガイド体５２，５２に付着した茎葉部の破片や泥等の夾雑物を擦り落とす左右のスクレーパ５５，５５を設けたことによって、茎葉部の移動経路から離れて位置で位置揃えガイド体５２，５２に付着した夾雑物を除去することができるので、茎葉部の破片が位置揃え装置５４Ｌ，５４Ｒの各部に絡み付くことが防止され、機体を止めて絡み付いた茎葉部の破片を取り除く必要が無く作業能率が向上すると共に、泥の塊が人参の根部を傷つけることが防止され、人参の商品価値が向上する。
【００６７】
さらに、スクレーパ５５，５５は長穴に沿って取り付け位置を変更することができるので、収穫作業を行う圃場の人参の茎葉部の径の平均に合わせて最適な位置にスクレーパ５５，５５を設定し、確実に茎葉部の破片や泥等の夾雑物を位置揃えガイド体５２，事務５２から除去することにより、上記の効果がさらに向上する。
【００６８】
そして、茎葉切断装置６１で人参から切断された排葉（切断された茎葉部）を圃場に排出する排葉シュータ７１が、既掘り側（人参を収穫し終えた側）に茎葉を排出するように下方傾斜姿勢に設けられていることによって、排出された茎葉が未掘り側（人参を収穫していない側）の人参の上に落下し、排葉が左右挟持搬送ベルト１９，１９や左右従動プーリ１７，１７等に絡み付いて収穫部Ｃを停止させて収穫作業を妨げることが防止できるので、作業能率が向上すると共に、人参の上に落下した排葉が収穫する人参の視認性を妨げることを防止できる。
【００６９】
次に、残葉処理部Ｅについて説明する。
図１〜図３で示すように、前記茎葉切断装置６１の下方に前後残葉処理フレーム７２，７２を設け、該残葉処理フレーム７２，７２の機体左右一側の前後間に第１残葉処理駆動ローラ７３ａを回転自在に取り付ける。また、前記残葉処理フレーム７２，７２の機体左右他側の前後間で且つ第１残葉処理ローラ７３ａよりも下方位置に第２残葉処理駆動ローラ７３ｂを回転自在に取り付ける。そして、該第１残葉処理駆動ローラ７３ａと第２残葉処理駆動ローラ７３ｂとにゴムやウレタン等の弾性体で構成する残葉処理ベルト７４を無端状に巻回する。さらに、該残葉処理ベルト７４の上部に人参の根部に残った残葉を残葉処理ベルト７４と共に挟み込んで回転して切除する残葉処理ローラ７５を取り付けて、茎葉切断部Ｄから引き継いだ人参の残葉を処理しながら機体外側方向から左右内側方向に搬送する残葉処理コンベア７６を構成することにより、残葉処理部Ｅが構成される。
【００７０】
なお、該残葉処理コンベア７６は、機体左右一側から左右他側に向けて２〜５度程度傾斜している。
これにより、落下した人参は残葉処理ベルト７４の駆動と傾斜による移動により移動するので、残葉処理コンベア７６上で人参の移動が停止することがなく、手作業で停止した人参を動かす必要がなく、作業能率が向上する。また、残葉処理コンベア７６が若干（約２〜５度）傾斜していることにより、機体が圃場の状態等により機体左右一側方向に傾斜しても残葉処理コンベア７６は地面に対して略水平状態となるに留まるので、人参が残葉処理コンベア７６上に停滞したり、残葉処理コンベア７６の搬送方向とは逆方向に移動することがなく、こうした人参を手作業で搬送経路に戻す必要がなく、作業能率が向上する。
【００７１】
上記構成により、残葉処理コンベア７６を構成する残葉処理ローラ７５が、茎葉切断装置６１で切り残された人参の残葉を千切り取るため、収穫作業後に人手で残葉を切除する作業を省略することができ、作業能率が向上する。
【００７２】
また、残葉処理コンベア７６を構成する残葉処理ベルト７４をゴムやウレタン等の弾性体で構成したことによって、茎葉切断装置６１で茎葉部を切除されて人参が落下しても残葉処理ベルト７４が落下の衝撃を軽減するので、落下の衝撃で人参が傷付くことが防止され、人参の品質が向上する。
【００７３】
次に、選別搬送部Ｆについて説明する。
図３〜図１０で示すように、前記エンジン７の駆動力を伝動する伝動シャフト１２０を、前後の残葉処理フレーム７２，７２の下部側を貫通させて機体後側に突出させ、該伝動シャフト１２０の後端部に出力スプロケット１２１を軸着する。また、機体後側の残葉処理フレーム７２の該出力スプロケット１２１よりも上方位置にアイドルスプロケット１２２を回転自在に装着し、該アイドルスプロケット１２２よりも機体左右一側（機体右側）に後述する回収コンベア１６０に駆動力を伝動する回収入力軸１２３ａを回転自在に装着し、該回収入力軸１２３ａに入力スプロケット１２３を軸着する。
【００７４】
そして、該入力スプロケット１２３及び出力スプロケット１２１よりも機体左右他側（機体左側）に従動スプロケット１２４を回転自在に装着し、該出力スプロケット１２１とアイドルスプロケット１２２と入力スプロケット１２３と従動スプロケット１２４に亘って伝動チェーン１２５を無端状に巻回する。該従動スプロケット１２４は、前記第２残葉処理駆動ローラ７３ｂに回転駆動力を供給する残葉処理出力軸１２４ａに軸着される。
【００７５】
なお、前記アイドルスプロケット１２２は、出力スプロケット１２１と入力スプロケット１２３との間で伝動チェーン１２５を機体上下方向から機体左右方向に屈曲させると共に、伝動チェーン１２５が弛まないように張圧するために設けるものである。
【００７６】
さらに、前記後側の残葉処理フレーム７２と従動スプロケット１２４の間に、第２入力スプロケット１２６を従動スプロケット１２４の回転軸に軸着して配置すると共に、該第２入力スプロケット１２６よりも機体左右一側で且つ下側にカウンタスプロケット１２７を回転自在に配置する。そして、該カウンタスプロケット１２７よりも機体左右一側で且つ上側に、第２従動スプロケット１２８を回転自在に装着し、該第２入力スプロケット１２６とカウンタスプロケット１２７と第２従動スプロケット１２８に亘って第２伝動チェーン１２９を無端状に巻回する。該カウンタスプロケット１２７は、後述する選別搬送コンベア８７に駆動力を供給する選別搬送入力軸１２７ａに軸着する。
【００７７】
また、前記第２従動スプロケット１２８の回転軸（図示省略）に入力スパーギア１３０ａを設け、該入力スパーギア１３０ａの上側に出力スパーギア１３０ｂを噛み合わせて配置する。該入力スパーギア１３０ａと出力スパーギア１３０ｂは、伝動ギアケース１３０内に配置する。そして、前記出力スパーギア１３０ｂの回転軸（図示省略）の機体前側端部に出力ベベルギア１３１ａを軸着し、該出力ベベルギア１３１ａを、前記残葉処理ローラ７５の回転軸（図示省略）の後端部に軸着した入力ベベルギア１３１ｂに噛み合わせる構成とする。
【００７８】
上記構成により、エンジン７から供給される駆動力を回収コンベア１６０、残葉処理コンベア７６と残葉処理ローラ７５、選別搬送コンベア８７に供給する伝動経路をコンパクトに構成することができるので、機体の前後幅や左右幅が抑えられ、機体の旋回性が向上すると共に、収納に必要な面積が抑えられる。
【００７９】
また、スプロケットや伝動チェーン等の部品点数を削減することができるので、コストダウンが図られる。
そして、図３〜図５で示すとおり、機体前側の前記残葉処理フレーム７２よりも機体前側で且つ前記位置揃え装置５４Ｌ，５４Ｒの下方に、前後の第１搬送フレーム７７，７７を前後方向に所定間隔を開けて配置し、該第１搬送フレーム７７，７７の機体内側端部（機体左右他側端部）で且つ外側に前後の第２搬送フレーム７８，７８を前後方向に所定間隔を空けて且つ搬送終端部側が上下回動自在に配置する。該前後の第１搬送フレーム７７，７７は、正面（背面）視でＴ字型であり、左右他側には、左右中央部から左右他側に向かうほど上方に傾斜する上方傾斜部を有する形状とする。
【００８０】
そして、前記第１搬送フレーム７７，７７の機体左右一側端部で且つ残葉処理コンベア７６の搬送面、即ち残葉処理ベルト７４の上面よりも下方に回収従動ローラ１３２ｂを回転自在に装着し、該回収従動ローラ１３２ｂよりも機体左右他側で且つ回収入力軸１２３ａに軸着可能な位置、具体的には残葉処理ローラ７５の機体左右一側位置に、該回収入力軸１２３ａの回転により駆動する回収駆動ローラ１３２ａを配置する。さらに、該回収従動ローラ１３２ｂと回収駆動ローラ１３２ａに亘って回収ベルト１３３を無端状に巻回して、回収コンベアを構成する。
【００８１】
該回収コンベア１６０は、引抜搬送装置２４の搬送経路及び位置揃え装置５４Ｌ，５４Ｒの下方に配置され、茎葉切断装置６１よりも搬送方向上手側で茎葉部が切れて落下する人参を受けて、機体左右一側から他側に搬送し、選別搬送コンベア８７に引き継がせるものである。このため、回収駆動ローラ１３３を回収従動ローラ１３２よりも下方に配置し、回収コンベア１６０を機体左右一側から左右他側に向かう下方傾斜姿勢に構成してもよい。
【００８２】
上記構成により、茎葉部が切れて搬送途中に人参が落下することがあっても、人参は回収コンベア１６０を経由して選別搬送コンベア８７に移動し、元の移動経路に戻ることができるので、搬送経路外に落ちた人参を拾い集める作業が不要となり、作業者の労力が軽減される。
【００８３】
また、回収従動ローラ１３２を残葉処理コンベア７６の搬送面よりも下方に配置したことにより、大量の人参が一斉に供給されたときなど、残葉処理ローラ７５に当たらずに機体前側に人参が押し出される条件となっても、押し出されてきた人参は停滞することなく回収コンベア１６０に移動することができるので、人参の収穫作業が停滞することが防止され、作業能率が向上する。
【００８４】
さらに、回収コンベア１６０を機体左右一側から左右他側に向かう下方傾斜姿勢とすると、回収コンベア１６０に受け止められた人参が自重で転がって選別搬送コンベア８７に向かって移動することができるので、回収コンベア１６０上に人参が留まり、選別搬送コンベア８７側に搬送される途中で上方から落下してくる人参と接触することが防止されるため、人参が傷つくことが防止され、人参の商品価値が向上する。
【００８５】
そして、前記回収駆動ローラ１３３よりも機体左右他側で且つ下側に、選別搬送入力軸１２７ａに軸着された前後一対の選別駆動スプロケット１３４，１３４を配置し、前記前後の第１搬送フレーム７７，７７の上方傾斜部の機体左右他側端部の丈夫に前後の第２搬送フレーム７８，７８の回動支点となる回動軸７９に軸着した選別アイドルスプロケット１３５，１３５を配置する。また、前記前後の第１搬送フレーム７２，７２のうち、選別駆動スプロケット１３４，１３４の直下、あるいは選別駆動スプロケット１３４，１３４よりも機体左右一側寄りの位置に、前後の選別カウンタスプロケット１３６，１３６を回転軸１３６ａ，１３６ａを介して装着する。なお、該回転軸１３６ａ，１３６ａは互いに連結せず、前記選別カウンタスプロケット１３６，１３６の間には空間部が形成される構成とする。
【００８６】
さらに、前記前後の第２搬送フレーム７８，７８の機体左右他側端部に選別従動スプロケット１３６ｂ，１３６ｂを回転自在に装着し、該選別従動スプロケット１３６ｂ，１３６ｂと選別駆動スプロケット１３４，１３４と選別アイドルスプロケット１３５，１３５と選別カウンタスプロケット１３６，１３６に亘って、選別伝動チェーン１３７，１３７を無端状に巻回する。
【００８７】
なお、選別カウンタスプロケット１３６を選別駆動スプロケット１３４の直下に配置したときは、選別カウンタスプロケット１３６から選別駆動スプロケット１３４に向かう選別伝動チェーン１３７が地面に対して垂直方向になるものとする。また、選別カウンタスプロケット１３６を選別駆動スプロケット１３４よりも機体左右一側寄りに配置したときは、選別カウンタスプロケット１３６から選別駆動スプロケット１３４に向かう選別伝動チェーン１３７が機体左右一側から左右他側に向かって上方傾斜する姿勢になるものとする。
【００８８】
そして、前記前後の第１搬送フレーム７７，７７に、無端状に巻回した前記選別伝動チェーン１３７，１３７に下方及び上方から接触し、前後の第２搬送フレーム７８，７８を上下回動させる際に選別伝動チェーン１３７，１３７を張圧して弛みや過負荷を防止するテンションスプロケット１３８…を複数個、回転自在に配置する。
【００８９】
また、前記前後の選別伝動チェーン１３７，１３７の前後間に、左右方向に等間隔で人参を載置して搬送する搬送バー１３９…を複数設け、該搬送バー１３９…複数個ごとに、選別搬送コンベア８７の上方傾斜部などで人参が転げ落ちることを防止する受け桟１４０…を、等間隔で配置する。さらに、前記第１搬送フレーム７７，７７及び第２搬送フレーム７８，７８に、前記選別伝動チェーン１３７，１３７の上方を覆うチェーンカバー１４１，１４１を設けることにより、選別搬送コンベア８７が構成される。
【００９０】
上記構成のとおり、回収駆動ローラ１３３よりも機体左右他側で且つ下側に選別駆動スプロケット１３４，１３４を配置したことにより、回収コンベア１６０の搬送終端部よりも下方に選別搬送コンベア８７の搬送始端部が位置する構成とすることができるので、搬送される人参が引き継ぎの際に停滞することが防止されて作業能率が向上すると共に、停滞した人参に後続の人参が接触し、人参が傷付いて商品価値が低下することが防止される。
【００９１】
また、選別搬送コンベア８７は残葉処理コンベア７６よりも下方に位置するため、残葉処理コンベア７６から選別搬送コンベア８７への人参の引き継ぎの停滞も防止されるので、作業能率がいっそう向上すると共に、人参の商品価値の低下が防止される。
【００９２】
そして、選別伝動チェーン１３７を選別駆動スプロケット１３４側に曲げる選別カウンタスプロケット１３６を、選別駆動スプロケット１３４の直下に配置したことにより、選別カウンタスプロケット１３６から選別駆動スプロケット１３４に向かう選別伝動チェーン１３７の姿勢が機体フレーム１に対して略垂直姿勢となるため、搬送バー１３９同士の左右間隔Ｌ１から石が入り込み、選別伝動チェーン１３７に搬送されて選別駆動スプロケット１３４側まで移動することがあっても、上記の選別伝動チェーン１３７の垂直姿勢部分が石の上方への移動を妨げるので、選別駆動スプロケット１３４と選別伝動チェーン１３７との間に石が噛み込まれて選別駆動スプロケット１３４の動作が停止することが防止されることにより選別搬送コンベア８７の急な停止が防止され、選別精度及び作業能率が向上する。
【００９３】
加えて、選別駆動スプロケット１３４と選別伝動チェーン１３７との間に石が噛み込まれることが防止されるので、選別搬送コンベア８７及びその構成部材の破損が防止される。
【００９４】
あるいは、選別駆動スプロケット１３４よりも機体左右一側寄りに選別カウンタスプロケット１３６を配置すると、選別カウンタスプロケット１３６から選別駆動スプロケット１３４に向かう選別伝動チェーン１３７の姿勢が機体左右一側から機体左右他側に向かう上方傾斜姿勢となるため、選別伝動チェーン１３７の巻回域内にある石はこの上方傾斜部に沿って移動することがあっても、途中で下方に落下するので、いっそう石が選別駆動スプロケット１３４と選別伝動チェーン１３７との間に噛み込まれることが防止される。
【００９５】
さらに、前後の選別カウンタスプロケット１３６，１３６をそれぞれ回転軸１３６ａに軸着し、この前後の回転軸１３６ａ，１３６ａを連結せず、前後間に空間部が生じる構成としたことにより、この前後空間部に石が移動した際に引っかかる部材がなくなるため、石抜けがよく、選別搬送コンベア８７の破損が防止される。
【００９６】
そして、選別伝動チェーン１３７に接触するアイドルスプロケット１３８…を、第１搬送フレーム７７，７７の上方傾斜部の下側位置に配置したことにより、人参を搬送しない面、即ち非作用側を張圧して選別伝動チェーン１３７，１３７の回転が止まったり遅くなったりする弛み、及び選別伝動チェーン１３７，１３７が破損し得る過負荷の発生を防止することができるので、収容容器９７に収容された人参の量に合わせて選別搬送コンベア８７の搬送終端部側を上下回動させても、人参の搬送速度は変わらないため、作業能率が向上すると共に、人参の選別精度が向上する。
【００９７】
また、搬送バー１３９…を左右方向に左右間隔Ｌ１を空けて配置したことにより、人参と共に運ばれてきた泥土や、残葉処理ローラ７５で取り除かれた残葉をこの左右間隔Ｌ１から下方に落下させることができるので、収容容器９７に入る泥土や残葉が減少し、収容容器９７の容量一杯に人参を収容することができ、収容容器９７を交換する頻度が減ることにより、作業能率が向上する。
【００９８】
さらに、搬送バー１３９…よりも広い間隔で受け桟１４０…を設けたことにより、人参が選別搬送コンベア８７上を転げても、受け桟１４０が人参の移動を止めるので、同じ人参が何回も搬送始端部に戻ることが防止されるので作業能率が向上すると共に、転げ落ちる際に後続の人参と接触して傷つくことが防止されるので、人参の商品価値が維持される。
【００９９】
なお、前記搬送バー１３９は、硬質ゴム等の強度の高い弾性体、あるいは棒状の金属の外周部に軟質ゴム等の柔らかい弾性体を巻き付けて構成すると、回収コンベア１６０や残葉処理コンベア７６から人参を引き継ぐ際、落下の衝撃で人参が傷つくことを防止することができるので、人参の商品価値が向上する。
【０１００】
また、該受け桟１４０は、リベットまたはボルト（図示省略）を搬送面の反対側、即ち下側から装着して選別伝動チェーン１３７に取り付ける構成とすると、選別伝動チェーン１３７の巻回域内にリベットやボルトが突出しないので、他の部材との干渉が防止されるため、選別搬送コンベア８７の破損が防止される。
【０１０１】
なお、搬送バー１３９同士の左右間隔Ｌ１よりも、選別カウンタスプロケット１３６と選別駆動スプロケット１３４の上下間隔Ｌ２を広く構成する。また、選別駆動スプロケット１３４の外周縁部から中心部の搬送入力軸１２７ａまでの距離Ｌ３も、搬送バー１３９同士の左右間隔Ｌ１よりも広く構成する。
【０１０２】
上記の構成により、搬送バー１３９同士の左右間隔Ｌ１から石等が入り込み、選別搬送コンベア８７の下側から機体下方に落下せず、選別伝動チェーン１３７によって選別駆動スプロケット１３４側に移動することがあっても、選別カウンタスプロケット１３６と選別駆動スプロケット１３４の上下間隔Ｌ２を搬送バー１３９同士の間隔Ｌ１よりも広く構成しているので、石等が選別カウンタスプロケット１３６と選別駆動スプロケット１３４の間に挟まることを防止できるので、選別搬送コンベア８７が突然停止することが防止され、作業能率の低下や選別搬送コンベア８７の破損が防止される。
【０１０３】
特に、選別カウンタスプロケット１３６から選別駆動スプロケット１３４に向かう選別伝動チェーン１３７は、機体フレーム１に対して略垂直方向、または機体左右一側から左右他側に向かう上方傾斜姿勢であるので、石等は選別伝動チェーン１３７に搬送されても上下間隔Ｌ２を上方に移動しにくいため、いっそう選別カウンタスプロケット１３６と選別駆動スプロケット１３４の間に石等が挟まることが防止される。
【０１０４】
さらに、もし選別伝動チェーン１３７によって石等が選別駆動スプロケット１３４まで上方搬送されることがあっても、選別駆動スプロケット１３４の外周縁部と、略中央部に位置する搬送入力軸１２７ａまでの距離Ｌ３が左右間隔Ｌ１よりも大きいため、選別駆動スプロケット１３４と搬送入力軸１２７ａの間に石等が挟まって選別駆動スプロケット１３４の回転が停止することを防止できるので、選別搬送コンベア８７が突然停止することが防止され、作業能率の低下や選別搬送コンベア８７の破損が防止される。
【０１０５】
このとき、選別駆動スプロケット１３４と選別カウンタスプロケット１３６よりも機体左右他側には、選別伝動チェーン１３７の巻回域内に入り込んで出なくなった石等が、それ以上進むことも戻ることもできないまま留まり続ける構造となる。このため、作業者は収穫作業終了後に、機体後側の第１搬送フレーム７７を外し、上記の箇所に溜まった石等をまとめて取り除くことができるので、メンテナンス性が向上する。なお、第１搬送フレーム７７全てを外すのは手間がかかるので、開閉自在な掃除窓１４２を機体後側の第１搬送フレーム７７のうち、選別駆動スプロケット１３４と選別カウンタスプロケット１３６よりも機体左右他側の石溜まり位置に配置する構成とすると、メンテナンス性がいっそう向上する。
【０１０６】
そして、前記第２搬送フレーム７８，７８の左右間に支持プレート８６を取り付け、該支持プレート８６と機体フレーム１との間に選別搬送コンベア８７の搬送終端部側を上下動させる昇降シリンダ８８を伸縮自在に取り付けて、機体左右一側から左右他側に亘って人参を搬送する選別搬送コンベア８７を構成する。さらに、該選別搬送コンベア８７の搬送終端部の下部に、選別搬送コンベア８７の搬送終端部から排出される人参を滑らせて移動させる、ゴム板や塩ビ板等の軟質部材で構成する排出シュータ８９を端部が下方に垂れ下がる姿勢で取り付ける。
【０１０７】
なお、昇降シリンダ８８は電動式でも油圧式でも空圧式でもよく、手動で伸縮操作するものでもよい。
また、前記機体フレーム１の機体左右他側の後部で且つ選別搬送コンベア８７よりも機体後側に、前記選別搬送コンベア８７で搬送中の人参の選別作業や選別搬送コンベア８７の操作を行なう補助作業者が搭乗する搭乗ステップ９０を配置し、該搭乗ステップ９０上で且つ選別搬送コンベア８８の中継スプロケット８０，８０を配置した近傍位置に補助作業座席９１を取り付ける。
【０１０８】
さらに、前記昇降シリンダ８８を伸縮操作して選別搬送コンベア８７の搬送終端部側を上下動させる昇降操作ペダル９２を選別搬送コンベア８７の搬送経路の下方に配置する。
そして、該搭乗ステップ９０上で且つ補助作業座席９１に着座した補助作業者が足で踏んで操作できる位置に配置することによって、選別搬送部Ｆが構成される。
【０１０９】
上記構成によれば、昇降シリンダ８８を操作する昇降操作ペダル９２を補助作業座席９１に着座した補助作業者の足が届く位置に設けたことにより、補助作業者は補助作業座席９１に着座したまま選別搬送コンベア８７の搬送終端部側を上下動させることができ、作業能率が向上するとともに作業者の労力が軽減される。
【０１１０】
さらに、昇降操作ペダル９２を設けたことにより、補助作業者は選別搬送コンベア８７の上下動を足だけで操作することができ、手を搬送中の人参の選別作業に集中させられるので選別精度が向上すると共に、手を選別搬送コンベア８７の構成部材で挟んだり切ったりすることが防止でき、作業の安全性が向上する。
【０１１１】
なお、図１６、図１７に示すように、前記第１搬送フレーム７７，７７のうち、選別駆動スプロケット１３４，１３４の近傍に、前後間に亘ると共に選別駆動スプロケット１３４，１３４を避けて、回収コンベア１６０から搬送される泥土や人参、特に細身側が選別搬送入力軸１２７ａに接触することを防止するガードプレート１４４を配置する。そして、このガードプレート１４４の下方に、ゴム等の軟質部材で構成するスクレーパプレート１４５を設け、該スクレーパプレート１４５の一側端部を、選別駆動スプロケット１３４と選別カウンタスプロケット１３６の上下間隔Ｌ２の間に配置する。
【０１１２】
上記構成により、ガードプレート１４４によって選別駆動スプロケット１３４，１３４及び選別搬送入力軸１２７ａに小石や人参の細身側端部が接触することを防止できるので、選別駆動スプロケット１３４，１３４の回転が停止して選別搬送コンベア８７が急に停止することが防止されるため、作業能率が向上すると共に、選別搬送コンベア８７の破損が防止される。
【０１１３】
また、ガードプレート１４４にスクレーパプレート１４５を設け、このスクレーパプレート１４５の一側端部を選別駆動スプロケット１３４と選別カウンタスプロケット１３６の上下間隔Ｌ２の間に配置したことにより、選別カウンタスプロケット１３６よりも上方に移動しようとする石等をスクレーパプレート１４５によって落下させることができるので、いっそう選別駆動スプロケット１３４と選別伝動チェーン１３７との間に石が噛み込まれて、選別搬送コンベア８７の駆動が急に停止したり破損したりすることが防止される。
【０１１４】
また、図２０で示すとおり、前記前後の第１搬送フレーム７７，７７の内側で且つ選別伝動チェーン１３７，１３７の巻回域内に、石分けプレート１４６，１４６を設ける。該石分けプレート１４６，１４６は、人参を搬送する側、即ち作用側の選別伝動チェーン１３７，１３７に下方から接する箇所を頂点とする山型（凸型）に形成し、前記石分けプレート１４６，１４６の端部は、選別伝動チェーン１３７，１３７よりも内側に向かって下方傾斜姿勢とする。
【０１１５】
上記構成としたことにより、石分けプレート１４６，１４６が選別伝動チェーン１３７，１３７の作用部側を下方から支持するので、選別伝動チェーン１３７，１３７は石分けプレート１４６，１４６の山型の頂点に接触して移動することができ、移動時のブレが抑えられ、搬送姿勢が安定する。
【０１１６】
また、石分けプレート１４６，１４６を山型に形成したことにより、搬送バー１３９…の左右間隔Ｌ１から入り込んだ石や泥土が選別伝動チェーン１３７，１３７側に移動しようとしても、石分けプレート１４６，１４６の傾斜部に沿わせて石や泥土を選別伝動チェーン１３７，１３７よりも内側方向に移動させることができるので、選別伝動チェーン１３７，１３７と選別駆動スプロケット１３４，１３４の間に石が噛み込み、選別搬送コンベア８７が急に停止したり、破損したりすることが防止される。
【０１１７】
なお、図２１で示すとおり、前記石分けプレート１４６，１４６は、第２搬送プレート７８，７８側に設ける構成とすると、選別搬送コンベア８７の搬送始端部から搬送終端部に亘って選別伝動チェーン１３７，１３７の移動姿勢が安定すると共に、選別伝動チェーン１３７，１３７の巻回域内に石や泥土が入り込みにくくなる。
【０１１８】
次に、収容部Ｇの構成について説明する。
図２及び図６〜図１０で示すように、前記選別搬送コンベア８７の前後の第２搬送フレーム７８，７８の搬送方向下手側（左右他側部）に回動シャフト９３を機体前後方向に貫通させて取り付け、該回動シャフト９３の前後両端側で且つ第２搬送フレーム７８，７８の外側に夫々摩擦抵抗体９４，９４を軸着する。
【０１１９】
該摩擦抵抗体９４，９４は皿バネやスプリングワッシャ、ゴムリング等、強い摩擦抵抗を有する部材であればどのようなものを用いてもよい。
また、前記回動シャフト９３の前後両端部に前後のハンガーアーム９５，９５の基部側を摩擦抵抗体９４，９４よりも前後方向外側に設け、第２搬送フレーム７８，７８とハンガーアーム９５，９５との間に挟み込んだ摩擦抵抗体９４，９４の摩擦抵抗によりハンガーアーム９５，９５が上方または下方に抵抗力以上の移動力がかかったときのみ上方または下方に移動可能に構成する。
【０１２０】
なお、図６、図８及び図９で示すように、ハンガーアーム９５，９５は左右方向略中央部に屈曲部９５ａ，９５ａを形成し、該屈曲部９５ａ，９５ａから機体外側端部に亘って上方に向かう形状、即ち正面視あるいは背面視で逆“へ”の字形状に屈曲させた形状とすると、選別搬送コンベア８７を上昇させた際にハンガーアーム９５，９５が下方に回動しても、前後の第２搬送フレーム７８，７８とハンガーアーム９５，９５との間に隙間が生じなくなり、補助作業者が選別搬送コンベア８７の搬送終端部に向かって腕を伸ばしていても、第２搬送フレーム７８，７８とハンガーアーム９５，９５とに腕を挟まれることがなく、作業者の安全性が向上する。
【０１２１】
また、ハンガーフレーム９５，９５が第２搬送フレーム７８，７８の搬送終端側の近傍に位置することにより、ハンガーフレーム９５，９５がどの傾斜角度であっても第２搬送フレーム７８，７８よりも下方に位置するので、補助作業者の選別作業スペースが広くなるので、選別精度が向上すると共に、作業能率が向上する。
【０１２２】
そして、前記ハンガーアーム９５，９５の端部側に前後方向に亘って選別搬送コンベア８７の機体前後端部よりも前後方向に突出するハンガーフレーム９６を取り付け、該ハンガーフレーム９６の前後両端部に人参を収容する収容袋（フレキシブルコンテナバッグ）９７を前後左右の４点を引っ掛けて吊り下げ支持する前後一対の吊下げハンガー９８，９８を左右方向に回動自在に取り付ける。
【０１２３】
さらに、該吊下げハンガー９８，９８の機体外側端部に上方向きの逆Ｕ字型（∩型）の外側吊下げ体９９ａ，９９ａを夫々溶着すると共に、機体内側端部を下方向きのＵ字型の内側吊下げ体９９ｂ，９９ｂを溶着し、該外側吊下げ体９９ａ，９９ａと内側吊下げ体９９ｂ，９９ｂに収容袋９７を吊り下げる吊下げフック９９ｆ，９９ｆ，９９ｆ，９９ｆを上下移動自在に取り付ける。
【０１２４】
なお、外側吊下げ体９９ａ，９９ａ及び内側吊下げ体９９ｂ，９９ｂを溶着する代わりに、吊下げハンガー９８，９８の機体外側端部を逆Ｕ字型（∩型）に折り曲げ、機体内側端部をＵ字型に折り曲げて、吊下げフック９９ｆ，９９ｆ，９９ｆ，９９ｆを上下方向に移動自在に取付可能な構成としてもよい。
【０１２５】
該吊下げハンガー９８，９８は、吊り下げる収容袋９７の上側開口部が平面視で略四角形となるように、収容袋９７の４箇所の角部を前後の外側吊下げ体９９ａ，９９ａ及び前後の内側吊下げ体９９ｂ，９９ｂで吊り下げる。
【０１２６】
なお、図９示すように、前記吊下げハンガー９８，９８をハンガーフレーム９６から取り外し、前記外側吊下げ体９９ａ，９９ａをハンガーフレーム９６の前後端部に引っ掛け、内側吊下げ体９９ｂ、９９ｂを後述する回収台１１８の機体外側端部に設ける支持突起１１９に引っ掛けることにより、選別コンベア８７を上方回動させると回収台１１８が吊下げハンガー９８，９８に引き上げられて自動的に収容姿勢、即ち機体フレーム１に対して略直交姿勢にすることができるので、回収台１１８を手作業で持ち上げる必要が無くなり、作業者の労力が軽減される。
【０１２７】
また、選別搬送コンベア８７を上限まで回動させて収納状態にした際、吊下げハンガー９８，９８は機体フレーム１に対して直交姿勢となるので、収納時に機体フレーム１の外側にはみ出す部材がなく、収納時にはみ出た部材が破損することが防止されると共に、収納スペースを余分に取ることが防止される。
【０１２８】
吊下げハンガー９８，９８で回収台１１８を引き上げる際、吊下げハンガー９８，９８の姿勢は、収容袋９７を開口状態で吊り下げる姿勢を基準として約１８０度回転させた姿勢となる。
【０１２９】
さらに、図６〜図８で示すように、前記ハンガーフレーム９６に、直射日光を遮断するバイザープレート１２６を前後の吊下げハンガー９８，９８と略水平姿勢で取り付ける。該バイザープレート１２６は、ハンガーフレーム９６と共に回動し、選別搬送コンベア８７を上下動させても吊下げハンガー９８，９８と略水平姿勢となる構成とする。
【０１３０】
上記構成により、収容袋９７内に射し込む直射日光をバイザープレート１２６が遮断するため、長時間直射日光に晒された人参が乾燥等で萎びたり割れたりすることを防止できるので、人参の品質が低下しにくく、人参の商品価値が向上する。
【０１３１】
そして、前記第２搬送フレーム７８，７８の搬送終端部の前後外側で且つ回動シャフト９３の取付位置よりも機体外側方向に前後のハンガーアーム９５，９５を受け止めて下方回動を規制する下限規制突起１００，１００を取り付ける。さらに、機体前側の第２搬送フレーム７８の外側で機体前側の下限規制突起１００よりも上方且つ回動シャフト９３寄りの位置に、機体前側のハンガーアーム９５を受け止めて上方回動を規制する上限規制突起１０１を取り付ける。
【０１３２】
また、前記回動シャフト９３の機体後側もしくは前後両側に雌ネジを刻んだ孔部（図示せず）を形成し、該孔部にねじ込む雄ネジ（図示せず）を刻んだ調節ノブ１０２を挿し込み、該調節ノブ１０２を回転させて摩擦抵抗体９４，９４を間に挟んだ第２選別フレーム７８，７８とハンガーアーム９５，９５との前後間隔を変更することにより、摩擦抵抗力が変化する構成とする。
【０１３３】
上記調節ノブ１０２を回動シャフト９３の機体後側端部に設けると補助作業座席９１に搭乗した補助作業者が操作し易く、回動シャフト９３の機体前側端部に設けると操縦座席１１に搭乗した作業者が操作し易くなり、摩擦抵抗体９４，９４の摩擦抵抗力の調節が容易となる。
【０１３４】
さらに、前記回動シャフト９３よりも選別搬送コンベア８７の搬送終端側で且つ機体後側の第２搬送フレーム７８の下側に前後方向に摺動自在なスライド軸１０３を設け、該スライド軸１０３に機体前側方向に付勢力をかけるスプリング１０４を軸着する。そして、該スプリング１０４の機体前側端部に選別搬送コンベア８７の下部に入り込む収容袋９７の機体内側の前後中間部を吊り下げて弛みを防止する補助フック１０５を設け、前記スライド軸１０３の後側端部で且つ第２フレーム７８の外側に作業者がスライド軸１０３を前後摺動させるスライドノブ１０６を取り付ける。
【０１３５】
そして、該スライドノブ１０６に、作業者がスライドノブ１０６を手で操作し易くするフックレバー１０６ａを設け、該フックレバー１０６ａの基部にフックレバー１０６ａを選別搬送コンベア８７側、即ち機体内側に向けて付勢するトルクスプリング１０６ｂを取り付ける。
【０１３６】
前記フックレバー１０６ａは、収穫作業時には収容袋９７の機体内側の内部に接触させて収容袋９７の機体内側を付勢させることにより、収容袋９７の機体内側に弛みが発生することを防止できるので、弛みに人参が入り込んで収容量を無駄にすることが防止され、収容袋９７の交換を頻繁に行う必要が無くなり、作業能率が向上する。また、フックレバー１０６ａの表面にゴム等の軟質材で構成するチューブを装着すると、収容袋９７に収容された人参がフックレバー１０６ａに接触して傷付くことを防止できるので、人参の商品価値が向上する。
【０１３７】
これに加えて、バイザープレート１２６はハンガーフレーム９６と共に回動して常に吊下げハンガー９８，９８と略水平姿勢となるため、選別搬送コンベア８７を上下動させても直射日光が収容袋９７内に入り込みにくく、人参の劣化を防いで商品価値を向上させることができると共に、バイザープレート１２６が吊下げハンガー９８，９８の動きを妨げることが防止される。
【０１３８】
さらに、フックレバー１０６ａは、非作業時（収納時）はトルクスプリング１０６ｂの力によって選別搬送コンベア８７の底部に押し当てられるため、機体外側にフックレバー１０６ａが突出することが防止されるので、収納時にフックレバー１０６ａが接触により破損することが防止されると共に、収納スペースが余分に取られることがなくなる。
【０１３９】
なお、前記スライド軸１０３は非操作時に選別搬送コンベア８７の機体後端部から前後中間部と同じか若干機体前側まで亘って設けると、補助フック１０５の位置を合わせ易くなる。また、スライド軸１０３を機体前側から後側に向かって設けてもよく、この場合操縦座席１１に搭乗する作業者がスライド軸１０３の操作を行なうことができる。
【０１４０】
そして、図１０で示すように、選別搬送コンベア８７の下方で且つ回動シャフト９３よりも選別搬送コンベア８７の搬送方向上手側に、収容袋９７の機体内側の吊り帯９７ｉを引っ掛ける吊り帯フック１０７を取り付け、前記ハンガーフレーム９６の上部に機体外側の吊り帯９７ｏを引っ掛ける吊り帯ピン１０８を機体上方に向けて配置することにより、収容袋吊下げ装置８５が構成される。
【０１４１】
該機体内外側の吊り帯９７ｉ，９７ｏは、人参を収容した収容袋９７をフォークリフトやホイストに引っ掛けて吊り下げるための部材である。
次に、上記収容部Ｇの動作について説明する。
【０１４２】
人参の収穫作業開始時には、前記選別搬送コンベア８７の搬送終端部から収容袋９７までの人参の落下距離を最小限にするため、該選別搬送コンベア８７を最下位置まで下降させる。また、前後の吊下げハンガー９８，９８の外側吊下げ体９９ａ，９９ａと内側吊下げ体９９ｂ，９９ｂに設けた吊下げフック９９ｆ，９９ｆ，９９ｆ，９９ｆに収容袋９７の四隅を引っ掛けて、上側開口部を平面視で略四角形状とする。
【０１４３】
そして、前後のハンガーアーム９５，９５を上限規制突起１０１に接触するまで上方回動させ、前後の吊下げハンガー９８，９８を機体内側端部から機体外側端部に向かって上方に傾斜する姿勢とする。吊下げハンガー９８，９８が機体外側方向に向かって上方に傾斜する姿勢となることにより、吊り下げられている収容袋９７も機体内側端部から機体外側端部に向かって上方に傾斜する上り傾斜姿勢となる。
【０１４４】
このとき、吊り下げられた収容袋９７のうち、選別搬送コンベア８７の搬送終端部側から人参が排出される機体内側は弛むため上下長さが短くなり、機体外側は殆ど弛みが生じないため上下長さが長くなる。
【０１４５】
なお、収容袋９７は、布材や合成繊維等で柔軟に構成したものとする。
また、前記収容袋９７の機体内側端部に排出シュータ８９の機体外側端部を入り込ませ、収容袋９７の機体内側端部を選別搬送コンベア８７の搬送終端側の下方に入り込ませ、収容袋９７の前後方向略中心部に形成した吊り孔（図示せず）に補助フック１０５を引っ掛ける。さらに、収容袋Ｂの機体内側の吊り帯９７ｉを吊り帯フック１０７に引っ掛けると共に、機体外側の吊り帯９７ｏをハンガーフレーム９６上の吊り帯ピン１０８に引っ掛ける。
【０１４６】
前記ハンガーアーム９５，９５は摩擦抵抗体９４，９４の摩擦抵抗力により、作業者が設定した傾斜姿勢で保持されるが、放置すると勝手に下方回動し始める場合には調節ノブ１０２を回転させて、第２搬送フレーム７８，７８とハンガーアーム９５，９５との間に配置された摩擦抵抗体９４，９４の摩擦抵抗力を調節する。調節ノブ１０２を締め方向に回転させると摩擦抵抗体９４，９４の接触面積・接触圧が増加して摩擦抵抗力が強くなり、ハンガーアーム９５，９５が勝手に移動することが防止される。なお、緩め方向に回転させると摩擦抵抗体９４，９４の接触面積・接触圧が減少して、摩擦抵抗力が弱くなる。
【０１４７】
また、収穫作業が進行し、収容袋９７に収容された人参が一定量を超えると、補助作業者が昇降操作ペダル９２の伸張側を足踏み操作し、昇降シリンダ８８を伸ばして選別搬送コンベア８７の搬送終端部側を上昇させる。
【０１４８】
選別搬送コンベア８７が上昇している間は、前記ハンガーアーム９５，９５が下降しようとする力が摩擦抵抗体９６，９６の摩擦抵抗力を上回るため、ハンガーアーム９５，９５が下降する。ハンガーアーム９５，９５の下降は、収容袋９７に人参の収容スペースを確保すべく選別搬送コンベア８７を上昇させている間のみ発生する。
【０１４９】
ハンガーアーム９５，９５が下方回動することにより、吊下げハンガー９８，９８がハンガーフレーム９６を支点として回動し、吊下げハンガー９８．９８の機体外側が下方に回動すると共に、機体内側が上方に回動する。収容袋９７の機体外側は設置の段階で上方に位置しているので殆ど位置の変化はないが、機体内側は吊下げハンガー９８，９８の移動により、上方に引き上げられる。これにより、収容袋９７の機体内側に生じていた弛みが上昇量に応じて解消される。
【０１５０】
なお、この動作による選別搬送コンベア８７の搬送終端部と収容袋９７との落差の変化は殆どなく、また排出シュータ８９の端部は、収容袋９７の内部に垂れ下がって入り込んでいるため、収容袋９７からはみ出すことがない。
【０１５１】
また、収穫作業が進行し、収容袋９７に収容された人参が一定量を超える度に選別搬送コンベア８７の搬送終端部を上昇させ、ハンガーアーム９５，９５を下方回動させると共に、収容袋９７の機体内側を上方に引き上げて、収容袋９７内の人参の収容スペースを確保すると共に、機体内側に偏る人参の山を崩していく。
【０１５２】
そして、選別搬送コンベア８７を上方に回動させ、吊下げハンガー９８，９８が略水平姿勢になると、収容袋９７の機体内側の弛みが解消され、機体内側と外側の上下高さが略同じになる。この状態となると、収容袋９７には約２００ｋｇの人参が収容されているため、作業者は機体の走行を停止して収容袋９７を機外に下ろす。
【０１５３】
このとき、ハンガーアーム９５，９５が下限規制突起１００，１００に接触する構成とする。
しかしながら、あと数メートルで圃場内の人参を全て収穫できる場合等、収容袋９７を交換すると手間が多くなる場合には、収容袋９７の上部開口部を閉じる蓋部を吊下げハンガー９８，９８の外側吊下げ体９９ａ，９９ａに引っ掛け、収容袋９７の機体外側から左右方向中央部の近傍までの上下高さを長くしてやると、数メートル（数ｋｇ）分の人参であれば収容可能となり、収容袋９７の交換の手間が省け、作業能率が向上する。
【０１５４】
なお、この状態でも選別搬送コンベア８７の搬送終端部と収容袋９７との落差の変化は殆どない。
そして、収容袋９７の収容量が一杯になると、機体や引抜搬送装置２４、選別搬送コンベア８７等を停止させ、吊下げフック９９ｆ，９９ｆ，９９ｆ，９９ｆから収容袋９７取り外すと共に、フックレバー１０６ａを操作してスライドノブ１０６を介して機体後方に引っ張り、補助フック１０５を収容袋９７から取り外す。補助フック１０５はスプリング１０４の付勢力によって、フックレバー１０６ａから手を離すと選別搬送コンベア８７、及び装着時の収容袋９７の前後方向略中央部に自動的に復帰する。
【０１５５】
また、操作ハンドル１１６を操作して、載置台１１２を前方または後方に下降させることにより、人参が収容された収容袋９７は自重で載置台１１２を滑り降りるので、収容袋９７を機体前側に降ろしたときは機体を後退させ、収容袋９７を機体後側に降ろしたときは機体を前進させることにより、約２００ｋｇの人参を収容した収容袋９７が収容部Ｇから降ろされて圃場に設置される。
【０１５６】
そして、収穫作業が終了すると、ハンガーアーム９５，９５を再び上限規制突起１０１に接触させ、選別搬送コンベア８７を最上位置まで上方回動させる。
上記構成及び動作により、収容袋９７の機体外側には作業の開始から交換時まで殆ど弛みが生じないため、弛みに人参が入り込んで収容袋９７の収容量を減らしてしまうことが防止され、収容袋９７の交換の頻度が減り、作業能率が交換すると共に、作業者の労力が軽減される。
【０１５７】
従来の収容袋の取り付け方では、機体内外両側に弛みが生じるため、この弛みに人参が入り込み、収容袋が持ち上げられても弛みが取れなくなり、一回の収容量が減少し、収容袋の交換頻度が高くなっていた。
【０１５８】
また、収容袋に生じた弛みを選別搬送コンベアを上下動させて解消し、収容スペースを確保することはできたが、弛みを取る度に作業者は選別搬送コンベアを操作せねばならず、作業能率を低下させていた。特に選別を行う補助作業者の場合、操作中の選別精度が低下していた。
【０１５９】
そして、選別搬送コンベア８７の搬送終端部と収容袋９７の機体左右一側部との落差が常に略一定であるので、落下の衝撃で人参が傷付くことを防止でき、人参の商品価値が向上する。
【０１６０】
さらに、通常はハンガーアーム９５，９５の回動を摩擦抵抗体９６，９６によって規制し、選別搬送コンベア８７を上昇させている間のみハンガーアーム９５，９５が下方回動する構成としたことにより、収容袋９７の人参の収容量の変化に合わせて選別搬送コンベア８７を操作すると連動して吊下げハンガー９８，９８の機体内側を上方に移動させることができるので、収容袋９７の収容量を自動的に増大させられると共に、収容袋９７の機体内側の弛みが自動的に解消されるので、弛みを取るために選別搬送コンベア８７を上下動させる必要がなく、作業能率が格段に向上する。
【０１６１】
また、ハンガーアーム９５，９５の上方傾斜姿勢の限度を決める上限規制突起１０１を機体前側の第２搬送フレーム７８に設けたことにより、作業者はハンガーアーム９８，９８をセットする位置がわかりやすく、収容袋９７が満杯になるようにハンガーアーム９５，９５の位置を決めることができる。
【０１６２】
加えて、上限規制突起１０１が機体前側の第２搬送フレーム７８にのみ設けられたことにより、上限規制突起１０１は選別搬送コンベア８７で搬送中の人参の選別を行う補助作業者の作業範囲内に存在しないため、補助作業者が動作する際にぶつかったり衣服に引っ掛かったりすることが防止され、作業者の負担が軽減される。
【０１６３】
下限規制部材１００，１００は機体後側の第２搬送フレーム７８にも設けられるが、設けられる位置は吊下げハンガー９８，９８の機体内側端部が位置しており、しかも通常選別作業を終えている領域であるため、補助作業者の動作に干渉することはないので、問題はない。
【０１６４】
なお、作業者がハンガーアーム９５，９５を上段規制突起１０１に接触させ忘れることを防止するために、後側の第２搬送フレーム７８に注意書きを記しておくと、設定忘れが防止できる。
【０１６５】
そして、吊下げハンガー９８，９８の機体外側端部に外側吊下げ体９９ａ，９９ａを上方に向けて設け、機体内側端部に内側吊下げ体９９ｂ，９９ｂを設けたことにより、機体内側の吊下げフック９９ｆ，９９ｆが機体外側の吊下げフック９９ｆ，９９ｆよりも下方に位置するので、収容袋９７を設置した際に収容袋９７の機体外側と機体内側の上下高さの差が大きくなるので、収容袋９７の機体外側からいっそう人参がこぼれにくくなる。
【０１６６】
また、吊下げハンガー９８の左右両端部を折り曲げて外側吊下げ体９９ａ及び内側吊下げ体９９ｂを形成すると、一本の棒材で構成することができるので、コストダウンを図ることができる。
【０１６７】
そして、収容袋９７の機体内側に設けた吊り帯９７ｉを選別搬送コンベア８７下の吊り帯フック１０７に引っ掛けると共に、機体外側に設けた吊り帯９７ｏをハンガーフレーム９６上の吊り帯ピン１０８に引っ掛けることにより、収容袋９７を吊り帯９７ｉ，９７ｏが引っ張るので、収容袋９７に生じる弛みを軽減することができる。
【０１６８】
さらに、収容袋９７の前後方向略中央部の孔部に補助フック１０５を引っ掛けることにより、収容袋９７の機体内側の前後方向略中央部に生じる弛みを小さくすることができるので、人参が機体内側の弛みに入り込みにくく、収容スペースが十分に確保できる。
【０１６９】
そして、スライドノブ１０６を機体後方に引っ張ると、スライド軸１０３が機体後方に摺動して補助フック１０５が収容袋９７から外れるので、人参で満杯になった収容袋９７と選別搬送コンベア８７の搬送終端部の下方との間に生じる狭いスペースに手を進入させなくても補助フック１０５を外すことができるので、作業能率が向上すると共に、作業者の労力が軽減される。
【０１７０】
また、ハンガーアーム９５，９５を上限規制突起１０１に接触させ、選別搬送コンベア８７を最上位置まで回動させると、吊下げハンガー９８，９８が回動して吊下げハンガー９８，９８の機体外側端部が機体フレーム１の端部よりも内側に位置するので、機体フレーム１からはみ出した吊下げハンガー９８，９８が壁等にぶつかることがなく、機体の破損が防止される。
【０１７１】
また、排出シュータ８９の端部を収容袋９７の内側に垂れ下がらせたことにより、排出シュータ８９と収容袋９７との間の人参が落下し得る空間部がなくなるので、選別搬送コンベア８７から排出される人参が落下することを防止でき、人参の商品価値が向上する。該排出シュータ８９の機体前後方向の幅は、選別搬送コンベア８７の機体前後方向の幅と略同じにすると、上記の人参の落下防止効果がいっそう向上する。
【０１７２】
次に、載置排出部Ｈの構成について説明する。
図２、図１８及び図１９で示すように、前記機体フレーム１の機体左右他側後部に前後支持プレート１０９，１０９を機体左右方向に取り付け、該前後支持プレート１０９，１０９の機体外側端部に載置部フレーム１１０を、左右回動軸１１０ａを回動支点として機体左右方向に回動自在に取り付ける。そして、該載置部フレーム１１０の後下部に上下回動軸１１１ａを設け、該上下回動軸１１１ａの上部に前後の吊下ハンガー９８，９８に吊り下げられる収容袋９７の底部を載置支持する載置台１１２を上下回動自在に取り付ける。
【０１７３】
また、前記載置部フレーム１１０の後側の左右他側端部に後側支持プレート１１３を設け、前記上下回動軸１１１ａの左右他側端部に回動プレート１１４の下端部を機体前後方向に回動自在に軸着するとともに、該回動プレート１１４の上部と後側支持プレート１１３の上部との間に伸縮自在な伸縮ロッド１１５を取り付ける。
【０１７４】
さらに、該伸縮ロッド１１５の機体後側の端部に伸縮ロッド１１５を伸縮させる操作ハンドル１１６を取り付けるとともに、前記載置台１１２の左右両側及び後側に収容袋９７の落下を防止する落下防止板１１７Ｂ，１１７Ｌ，１１７Ｒを取り付けることにより、回収台１１８が構成される。該回収台１１８の機体外側端部（機体右側端部）には、回収台１１８の折り畳み作業時に前記吊下げハンガー９８，９８の一側端部を引っ掛ける支持突起１１９を取り付ける。
【０１７５】
上記落下防止板１１７Ｂ，１１７Ｌ，１１７Ｒのうち、機体左側、即ち機体内側に配置される左落下防止板１１７Ｌの下部側に、水や夾雑物を排出する排出開口部１１７ｓを形成し、回収台１１８を機体フレーム１側に回動させると水や夾雑物が排出開口部１１７ｓから圃場に落下する構成とする。
【０１７６】
そして、前記左右回動軸１１０ａに、回収台１１８を常時上方に付勢して上方傾斜姿勢で保持するトルクスプリング１１０ｂを取り付け、収容袋９７に収容された人参の重量が増加すると自動的に機体フレーム１に対して略水平姿勢になるまで下方回動する構成とする。
【０１７７】
前記収容袋吊下げ装置８５と回収台１１８とにより、載置排出部Ｈが構成される。
なお、伸縮ロッド１１５は一方の棒材の表面に螺子溝を刻み、他方の中空の棒材の内面に螺子溝を刻み、互いの棒体の螺子溝を合わせて操作ハンドル１１６で回転させて伸縮する構成としているが、電動シリンダや油圧シリンダに置き換えてもよく、その場合は操作ハンドル１１６をスイッチやレバーに置き換えてもよい。
【０１７８】
以下、本件人参の収穫機の別実施例を説明する。
図２２、図２３で示すとおり、回動フレーム２０上で且つ引抜搬送装置２４の搬送経路の下方に上下方向に長い左右の支持フレーム１５０，１５０を設ける。該左右の支持フレーム１５０，１５０の上部側は、正面（背面）視で下側ほど広く離間するハの字型とする。
【０１７９】
そして、前記伝動ケース２２に、機体前側に駆動力を伝動する左右の前側伝動ケース１５１，１５１の後端部側を設け、該前側伝動ケース１５１，１５１の前端部側を前記左右の支持フレーム１５０，１５０の後部側に設け、前側伝動ケース１５１，１５１から駆動力を受けて回転する保持駆動プーリ１５２，１５２を配置する。また、前記左右の支持フレーム１５０，１５０の前側で且つ尻尾切装置３５よりも上側に左右の保持従動プーリ１５３，１５３を回転自在に装着すると共に、該左右の保持従動プーリ１５３，１５３と保持駆動プーリ１５２，１５２の前後間に左右の保持テンションプーリ１５４，１５４を回転自在に装着する。
【０１８０】
なお、左右の支持フレーム１５０，１５０は正面（背面）視でハの字型に配置されているが、保持駆動プーリ１５２，１５２、保持従動プーリ１５３，１５３及び保持テンションプーリ１５４，１５４は、それぞれの回転軸（図示省略）を支持フレーム１５０，１５０に対して垂直方向に差し込んで配置している。
【０１８１】
さらに、該保持駆動プーリ１５２，１５２と保持従動プーリ１５３，１５３と保持テンションプーリ１５４，１５４とに亘って、引抜搬送装置２４から位置揃え装置５４Ｌ，５４Ｒに引継搬送されている人参に接触する保持搬送ベルト１５５，１５５を無端状に巻回して、保持搬送装置１５６を構成する。
【０１８２】
該保持搬送装置１５６は、左右の保持搬送ベルト１５５，１５５を人参に接触させ、搬送中の人参が機体の振動などによって揺らぐことを防止して、位置揃え装置５４Ｌ，５４Ｒに確実に人参を引き継ぐための装置である。
【０１８３】
晩秋〜初冬頃に人参の収穫作業を行う場合、茎葉部は寒さで枯れた状態、即ち霜枯れ状態となっていることが多く、位置揃え装置５４Ｌ，５４Ｒに接触すると、衝撃で茎葉部が千切れて人参が落下してしまうことがある。このため、本件の実施例では、回収コンベア１６０を位置揃え装置５４Ｌ，５４Ｒの下方に配置して、落下してきた人参を受けて搬送経路に戻す構成としている。
【０１８４】
一方、この実施例においては、保持搬送装置１５６は位置揃え装置５４Ｌ，５４Ｒの終端部まで人参に左右から接触し続けるため、茎葉部が千切れてしまうことがあっても人参を残葉処理コンベア７６まで搬送することができるので、選別搬送コンベア８７上や作業終了後に、人参から残された残葉を除去する必要がなく、選別精度や作業能率が向上する。
【０１８５】
なお、茎葉部が千切れることがなくとも、保持搬送装置１５６は人参を残葉処理コンベア７６の手前まで姿勢を保って搬送するので、茎葉切断装置６１に茎葉部を切断されて残葉処理コンベア７６に落下する人参の落下位置を安定させることができるので、残葉が除去されやすくなる。
【０１８６】
また、左右の支持フレーム１５０，１５０の上部側をハの字型としたことにより、人参が曲がっていたり、二股になっていたりしても、左右の保持搬送ベルト１５５，１５５の左右間に人参が詰まることが防止され、人参の除去のために収穫作業を中断する必要がなく、作業能率が向上する。
【０１８７】
さらに、保持搬送装置１５６の前端部を尻尾切装置３５の直後で且つ上方位置に設けたことにより、尻尾切装置３５を通過して若干後傾姿勢となった人参を受け止めやすい姿勢で配置されるので、人参が保持搬送装置１５６に跳ね返されて搬送が停滞することが防止され、作業能率が向上する。
【０１８８】
図２４で示すとおり、選別搬送入力軸１２７ａにクラッチ機構１４７を設け、該クラッチ機構１４７を昇降操作ペダル９２に連繋ワイヤ１４８で連結し、該昇降操作ペダル９２を踏むと連繋ワイヤ１４８がクラッチ機構１４７に作用してクラッチ機構１４７が「切」になる構成としてもよい。
【０１８９】
上記構成としたことにより、収容容器９７に収容された人参の量が増加し、選別搬送コンベア８７の搬送終端部側を上昇させて収容容器９７の容量を増加させる作業を行う際、昇降操作ペダル９２を踏んでいる間は選別搬送コンベア８７の駆動が止まるので、作業者は人参の選別作業に気を取られることなく選別搬送コンベア８７の操作をすることができるので、適切な調節ができると共に、選別精度が向上する。
【０１９０】
なお、昇降操作ペダル９２とは異なるクラッチ操作ペダル１４９を設け、このクラッチ操作ペダル１４９とクラッチ機構１４７を連結し、作業者がクラッチ操作ペダル１４９を踏むとクラッチ機構１４７が「切」となる構成とすると、選別搬送コンベア８７の搬送速度が乱れたり異音が発生したりしたとき、即座に選別搬送コンベア８７の駆動を停止させることができるので、選別搬送コンベア８７の破損が防止できると共に、石等の破損の原因が入り込んだ場合、深刻な破損が生じる前に取り除くことができる。
【０１９１】
また、選別に時間をかけたいときにもこのクラッチ操作ペダル１４９を踏むと、作業者は選別搬送コンベア８７をだけを止めて選別作業を行うことができるので、選別精度が大幅に向上すると共に、収穫作業を止める必要がないため、作業能率が向上する。
【符号の説明】
【０１９２】
２４      引抜搬送装置
８７      選別搬送コンベア（選別搬送装置）
１２７ａ  選別搬送入力軸（駆動回転軸）
１３４    選別駆動スプロケット（駆動回転体）
１３６    選別カウンタスプロケット（従動回転体）
１３７    選別伝動チェーン（伝動無端体）
１３９    搬送バー（搬送体）
１４５    スクレーパプレート（除去部材）
Ｌ１      左右間隔
Ｌ２      上下間隔
Ｌ３      間隔距離
【図１】
2012244976.tif 000003
【図２】
2012244976.tif 000004
【図３】
2012244976.tif 000005
【図４】
2012244976.tif 000006
【図５】
2012244976.tif 000007
【図６】
2012244976.tif 000008
【図７】
2012244976.tif 000009
【図８】
2012244976.tif 000010
【図９】
2012244976.tif 000011
【図１０】
2012244976.tif 000012
【図１１】
2012244976.tif 000013
【図１２】
2012244976.tif 000014
【図１３】
2012244976.tif 000015
【図１４】
2012244976.tif 000016
【図１５】
2012244976.tif 000017
【図１６】
2012244976.tif 000018
【図１７】
2012244976.tif 000019
【図１８】
2012244976.tif 000020
【図１９】
2012244976.tif 000021
【図２０】
2012244976.tif 000022
【図２１】
2012244976.tif 000023
【図２２】
2012244976.tif 000024
【図２３】
2012244976.tif 000025
【図２４】
2012244976.tif 000026